【事件の表示】
　特許第５９２１８１８号発明「エアゾール組成物」の特許異議申立事件について、次のとおり決定する。
【結　論】
　特許第５９２１８１８号の明細書及び特許請求の範囲を訂正請求書に添付された訂正明細書及び特許請求の範囲のとおり、訂正することを認める。
　特許第５９２１８１８号の請求項１に係る特許を維持する。
【理　由】
第１　手続の経緯等
１　本件特許異議の申立てに係る特許
　本件特許異議の申立てに係る特許第５９２１８１８号は、特許権者である東洋エアゾール工業株式会社より、平成２３年４月２７日、特願２０１１−９９２１３号として出願され、平成２８年４月２２日、発明の名称を「エアゾール組成物」、請求項の数を「１」として特許権の設定登録を受けたものである。
２　手続の経緯
　本件特許に対して、平成２８年１１月２２日、特許異議申立人である株式会社ダイゾー（以下、「異議申立人」という。）より、全請求項に対して特許異議の申立てがなされ、平成２９年１月３０日付けで取消理由が通知され、その指定期間内である同年４月３日に意見書の提出及び訂正の請求があり、その訂正の請求に対して異議申立人から同年５月１８日付けで意見書が提出されたものである。
第２　訂正の適否
１　訂正事項
　上記平成２９年４月３日提出の訂正請求書による訂正（以下、「本件訂正」という。）は、本件明細書及び特許請求の範囲を、上記訂正請求書に添付した訂正明細書及び特許請求の範囲のとおり訂正することを求めるものであって、その具体的訂正事項は次のとおりである。
（１）訂正事項１
　特許請求の範囲の請求項１に「液状油脂類よりなる引火性成分を１５．００〜９９．５０質量％含有する原液」と記載されているのを、「液状油脂類よりなる引火性成分を５０．００〜９９．５０質量％含有する原液」に訂正する。
（２）訂正事項２
　特許請求の範囲の請求項１に「前記トランス−１，３，３，３−テトラフルオロプロペンの含有割合が６〜２０質量％であることを特徴とする」と記載されているのを、「前記トランス−１，３，３，３−テトラフルオロプロペンの含有割合が６〜２０質量％であり、前記噴射剤１００質量％における前記トランス−１，３，３，３−テトラフルオロプロペンの含有割合が４０質量％以上であることを特徴とする」に訂正する。
（３）訂正事項３
　明細書の段落【０００６】に「液状油脂類よりなる引火性成分を１５．００〜９９．５０質量％含有する原液」と記載されているのを、「液状油脂類よりなる引火性成分を５０．００〜９９．５０質量％含有する原液」に訂正する。
（４）訂正事項４
　明細書の段落【０００６】に「前記トランス−１，３，３，３−テトラフルオロプロペンの含有割合が６〜２０質量％であることを特徴とする」と記載されているのを、「前記トランス−１，３，３，３−テトラフルオロプロペンの含有割合が６〜２０質量％であり、前記噴射剤１００質量％における前記トランス−１，３，３，３−テトラフルオロプロペンの含有割合が４０質量％以上であることを特徴とする」に訂正する。
２　訂正の目的の適否、新規事項の有無及び特許請求の範囲の拡張・変更の存否
（１）訂正事項１について
ア　上記訂正事項１は、訂正前の請求項１において、「原液」が「液状油脂類よりなる引火性成分を１５．００〜９９．５０質量％含有する」と特定されていたものを、訂正後の請求項１において、「原液」が「液状油脂類よりなる引火性成分を５０．００〜９９．５０質量％含有する」との記載により、液状油脂類よりなる引火性成分の含有割合を限定するものといえるから、特許請求の範囲の減縮を目的とするものである。
イ　上記「ア」で述べたように、上記訂正事項１は、液状油脂類よりなる引火性成分の含有割合を限定するものであるから、カテゴリーや対象、目的を変更するものには該当しない。
ウ　上記訂正事項１に係る「液状油脂類よりなる引火性成分を５０．００〜９９．５０質量％含有する」ことは、願書に添付した明細書に記載の実施例における「処方６」、「処方７」及び「処方９」に基づくものであるから、上記訂正事項１は、願書に添付した明細書、特許請求の範囲又は図面に記載した事項の範囲内の訂正である。
エ　よって、上記訂正事項１は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ事実上特許請求の範囲を拡張し又は変更するものではないから、同法同条第９項において準用する同法第１２６条第５項及び第６項の規定に適合するものといえる。
（２）訂正事項２について
ア　上記訂正事項２は、訂正前の請求項１において、噴射剤中のトランス−１，３，３，３−テトラフルオロプロペンの含有割合について限定がなされていなかったのを、訂正後の請求項１において、「前記噴射剤１００質量％における前記トランス−１，３，３，３−テトラフルオロプロペンの含有割合が４０質量％以上である」との記載により、噴射剤中のトランス−１，３，３，３−テトラフルオロプロペンの含有割合を限定するものといえるから、特許請求の範囲の減縮を目的とするものである。
イ　上記「ア」で述べたように、上記訂正事項２は、噴射剤中のトランス−１，３，３，３−テトラフルオロプロペンの含有割合を限定するものであるから、カテゴリーや対象、目的を変更するものには該当しない。
ウ　上記訂正事項２に係る「前記噴射剤１００質量％における前記トランス−１，３，３，３−テトラフルオロプロペンの含有割合が４０質量％以上である」ことは、願書に添付した明細書に記載の実施例における「処方６」、「処方７」及び「処方９」に基づくものであるから、上記訂正事項２は、願書に添付した明細書、特許請求の範囲又は図面に記載した事項の範囲内の訂正である。
エ　よって、上記訂正事項２は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ事実上特許請求の範囲を拡張し又は変更するものではないから、同法同条第９項において準用する同法第１２６条第５項及び第６項の規定に適合するものといえる。
（３）訂正事項３について
ア　上記訂正事項３は、上記訂正事項１に係る訂正に伴い、特許請求の範囲の記載と発明の詳細な説明との整合を図るためのものであるから、明瞭でない記載の釈明を目的とするものである。
イ　上記（１）の「ア」と同様に、上記訂正事項３は、液状油脂類よりなる引火性成分の含有割合を限定するものであるから、カテゴリーや対象、目的を変更するものには該当しない。
ウ　上記訂正事項３に係る「液状油脂類よりなる引火性成分を５０．００〜９９．５０質量％含有する」ことは、願書に添付した明細書に記載の実施例における「処方６」、「処方７」及び「処方９」に基づくものであるから、上記訂正事項３は、願書に添付した明細書、特許請求の範囲又は図面に記載した事項の範囲内の訂正である。
エ　よって、上記訂正事項３は、特許法第１２０条の５第２項ただし書第３号に掲げる明瞭でない記載の釈明を目的とするものであるといえるとともに、願書に添付した明細書、特許請求の範囲又は図面に記載した事項の範囲内の訂正であり、かつ事実上特許請求の範囲を拡張し又は変更するものではなく、また、願書に添付した明細書の訂正をする場合であって、当該明細書の訂正に係る全ての請求項について行うものであるから、同法同条第９項において準用する同法第１２６条第５項及び第６項の規定に適合するものといえる。
（４）訂正事項４について
ア　上記訂正事項４は、上記訂正事項２に係る訂正に伴い、特許請求の範囲の記載と発明の詳細な説明との整合を図るためのものであるから、明瞭でない記載の釈明を目的とするものである。
イ　上記（２）の「ア」と同様に、上記訂正事項４は、噴射剤中のトランス−１，３，３，３−テトラフルオロプロペンの含有割合を限定するものであるから、カテゴリーや対象、目的を変更するものには該当しない。
ウ　上記訂正事項４に係る「前記噴射剤１００質量％における前記トランス−１，３，３，３−テトラフルオロプロペンの含有割合が４０質量％以上である」ことは、願書に添付した明細書に記載の実施例における「処方６」、「処方７」及び「処方９」に基づくものであるから、上記訂正事項４は、願書に添付した明細書、特許請求の範囲又は図面に記載した事項の範囲内の訂正である。
エ　よって、上記訂正事項４は、特許法第１２０条の５第２項ただし書第３号に掲げる明瞭でない記載の釈明を目的とするものであるといえるとともに、願書に添付した明細書、特許請求の範囲又は図面に記載した事項の範囲内の訂正であり、かつ事実上特許請求の範囲を拡張し又は変更するものではなく、また、願書に添付した明細書の訂正をする場合であって、当該明細書の訂正に係る全ての請求項について行うものであるから、同法同条第９項において準用する同法第１２６条第５項及び第６項の規定に適合するものといえる。
３　小括
　したがって、上記訂正請求による訂正事項１ないし４は、特許法第１２０条の５第２項ただし書第１号又は第３号に掲げる事項を目的とするものであり、かつ、同条第９項で準用する同法第１２６条第５項及び第６項までの規定に適合するので、訂正明細書及び特許請求の範囲のとおり訂正することを認める。
第３　本件発明
　上記「第２」のとおり、本件訂正は容認し得るものであるから、本件訂正後の請求項１に係る発明（以下、請求項１に係る発明を「本件発明１」といい、「本件発明１」に係る特許を「本件特許１」という。）は、次の事項により特定されるとおりのものと認める。
「【請求項１】
　液状油脂類よりなる引火性成分を５０.００〜９９．５０質量％含有する原液と、トランス−１，３，３，３−テトラフルオロプロペンを含有する噴射剤とよりなり、
　エアゾール組成物１００質量％における前記トランス−１，３，３，３−テトラフルオロプロペンの含有割合が６〜２０質量％であり、
　前記噴射剤１００質量％における前記トランス−１，３，３，３−テトラフルオロプロペンの含有割合が４０質量％以上であることを特徴とするエアゾール組成物。」
第４　当審の判断
１　取消理由（特許法第２９条の２）について
（１）取消理由（特許法第２９条の２）の概要
『（１）刊行物等 
 甲第１号証：特開２０１２−４６４８２号公報（以下、「甲１」という。） 
 先願：特願２０１０−１７２８６５号（甲第１号証の優先権基礎出願） 
  
（２）先願に記載の事項（下線は当審が付与した。当該記載事項は、甲１の出願公開時に出願公開されたものとみなし得る。） 
（a） 
「【請求項１】 
水性成分と、油性成分と、液化ガスとを含むエアゾール組成物
  
（b） 
「【００４７】 
実施例１６
　
表１に記載の配合により
エアゾール製品を製造した
  
（c） 
「【００５０】 
【表１】 
」（甲１の【００５２】【表１】参照。）
（３）先願に記載された発明 
　上記摘示事項（a）〜（c）によれば、先願の実施例１６には、 
「合計量を１００質量％とした場合に、水性成分としての精製水２７．１質量％及びエタノール３．７質量％、油性成分としてのコハク酸ジエトキシエチル２７．１質量％及びジメチルポリシロキサン２７．１質量％、並びに、液化ガスとしてのトランス−１，３，３，３−テトラフルオロプロパ−１−エン１５．０質量％を含む、エアゾール組成物。」（以下、「先願発明」という。）が記載されていると認められる。 
  
（４）対比・検討 
　本件発明１と先願発明とを対比する。 
  
ア　先願発明の「コハク酸ジエトキシエチル」は、技術常識に照らせば、液状であり、１８１℃付近に引火点があることから、本件発明１の「液状油脂類よりなる引火性成分」に相当する。 
  
イ　先願発明の「トランス−１，３，３，３−テトラフルオロプロパ−１−エン」及び「液化ガス」は、それぞれ本件発明１の「トランス−１，３，３，３−テトラフルオロプロペン」及び「噴射剤」に相当する。 
  
ウ　先願発明の「コハク酸ジエトキシエチル」の含有割合を原液（水性成分及び油性成分）中に換算すると、２７．１（質量％）／（２７．１（質量％）＋３．７（質量％）＋２７．１（質量％）＋２７．１（質量％））×１００＝３１．９（質量％）であるから、本件発明１の「液状油脂類よりなる引火成分」の原液中の含有割合と重複する。 
  
エ　先願発明の「トランス−１，３，３，３−テトラフルオロプロパ−１−エン」のエアゾール組成物１００質量％における含有割合は、１５．０質量％であり、本件発明１の「トランス−１，３，３，３−テトラフルオロプロペン」のエアゾール組成物１００質量％における含有割合と重複する。 
オ　以上のことから、本件発明１と先願発明とは、 
「液状油脂類よりなる引火性成分を１５.００〜９９．５０質量％含有する原液と、トランス−１，３，３，３−テトラフルオロプロペンを含有する噴射剤とよりなり、 
　エアゾール組成物１００質量％における前記トランス−１，３，３，３−テトラフルオロプロペンの含有割合が６〜２０質量％である、エアゾール組成物。」である点で一致し、相違点はない。 
  
　したがって、本件発明１は先願発明である。 
  
（５）まとめ 
　よって、本件発明１は、先願の願書に最初に添付された明細書、特許請求の範囲又は図面に記載された発明と同一であるから、本件の請求項１に係る特許は、特許法第２９条の２の規定に違反してされたものであり、同法第１１３条第１項第２号に該当するため、取り消されるべきものである。 』
（２）取消理由（特許法第２９条の２）についての判断
　この理由に対し、「原液」が「液状油脂類よりなる引火性成分を５０．００〜９９．５０質量％含有する原液」と訂正された本件発明１と先願発明とを対比すると、両発明は、本件発明１が、原液中における液状油脂類よりなる引火成分の含有割合が５０．００〜９９．５０質量％であるのに対し、先願発明では、原液中における液状油脂類よりなる引火成分の含有割合が３１．９質量％である点で、少なくとも相違する。
　したがって、本件発明１は、先願の願書に最初に添付された明細書、特許請求の範囲又は図面に記載された発明と同一の発明とはいえないから、本件特許１は、特許法第２９条の２の規定に違反してされたものであるとすることはできない。
２　取消理由（特許法第２９条第２項）について
（１）取消理由（特許法第２９条第２項）の概要
『（１）刊行物等 
甲第２号証：特開昭６１−２４３００１号公報 
甲第３号証：特表２００９−５１３８１３号公報 
甲第４号証：特表２０１０−５３１９２４号公報 
甲第５号証：特表２００７−５３５６１１号公報 
（以下、「甲２」などという。） 
  
（２）刊行物等に記載の事項 
 ア　甲２には、以下の記載がある（下線は当審が付与した。以下、同じ。）。 
（a） 
「特許請求の範囲 
１　有害生物防除成分と該成分の可燃性溶剤を含む
引火性成分中にトリクロロトリフルオロエタンを５〜２０重量％添加して非引火性とした原液を使用することを特徴とするエアゾール剤
  
（b） 
「本発明で用いる有害生物防除成分の可燃性溶剤としては、たとえばケロシンなどを用いることができる。 
　
本発明で用いるトリクロロトリフルオロエタンは、上記えられた有害生物防除成分および該成分の可燃性溶媒からなる引火性成分を非引火性とするためにこの引火性成分中に５〜２０重量％添加して用いられる
  
（c） 
「 
」（第３頁「第１表」） 
  
イ　甲３には、以下の記載がある。 
（a） 
「【特許請求の範囲】 
【請求項１】 
　（i）・・・を有するヒドロフルオロカーボン、および（ii）・・・ＣＦ３ＣＨ＝ＣＨＦ・・・から選択されたフルオロカーボンまたはヒドロフルオロカーボンからなる群から選択された少なくとも１種のフルオロカーボンまたはヒドロフルオロカーボンを含む噴射剤。 
・・・ 
【請求項６】 
　請求項１に記載の噴射剤を含むことを特徴とする噴霧可能な組成物。」 
  
（b） 
「【００１６】 
　従って、環境責任を達成しつつエアゾールの有利な噴霧特性および他の特性を保持するパーソナルケア製品および他の製品のためのエアゾール分配装置中で有用な、
燃焼性が限定的で、均質、可溶性且つ毒性でない組成物を開発することが望ましい
  
（c） 
「【００１９】 
　前述した目的は、本明細書で開示された不飽和フルオロカーボン噴射剤および不飽和ヒドロフルオロカーボン噴射剤により達成される。組成物は、約１〜１５重量％以上の活性成分と合わせて配合してもよい。
全噴射剤は１５％から９５％まで異なる場合がある
（d） 
「【００４３】 
【表３】 
 」 
  
（e） 
「【００６４】 
　組成物は、地球温暖化の一因に実質的にならない
不燃性液化ガス噴射剤およびエアゾールを提供することができる
  
（f） 
「【００７５】 
　　（実施例３） 
　　（香気） 
　香気を次の通り配合した。 
　【００７６】 
　　【表１０】 
 」 
  
（g） 
「【００７８】 
　　（実施例４） 
　　（エアゾール制汗薬） 
　エアゾール制汗薬を次の通り配合した。 
　【００７９】 
　　【表１１】 
 」 
  
ウ　甲４には、以下の記載がある。 
（a） 
「【０００１】 
　
本発明は、安定化ヒドロクロロフルオロオレフィンおよびヒドロフルオロオレフィン組成物に関し
エアロゾル噴射剤、火炎抑制剤、消火剤として、
有用である
【背景技術】 
　【０００２】 
　１９８７年１０月に調印されたオゾン層保護のためのモントリオール議定書によって、クロロフルオロカーボン（ＣＦＣ）の使用の廃止が規定されている。ヒドロフルオロカーボン（ＨＦＣ）、例えばＨＦＣ−１３４ａなどのオゾン層により「優しい」材料がクロロフルオロカーボンに取って代わった。後者の化合物は、地球温暖化の原因となる温室効果ガスであることが判明しており、気候変動に関する京都議定書によって規制された。新たに出現しつつある代替材料、ヒドロフルオロプロペンは、環境上許容できることが示され、すなわちオゾン層破壊係数（ＯＤＰ）ゼロおよび１５０よりもかなり低い低地球温暖化係数（ＧＷＰ）を有する。 
【０００３】 
　ＨＦＣ−１３４ａなどの、現在提案されているヒドロフルオロカーボンの代替冷媒としては、ＨＦＣ−１５２ａ、ブタンまたはプロパンなどの純炭化水素、またはＣＯ2などの「天然」冷媒が挙げられる。提案されているこれらの代替品の多くは、引火性であり、かつ／またはエネルギー効率が低い。したがって、新規な他の冷媒が求められている。
ヒドロフルオロプロペンおよび／またはヒドロクロロフルオロプロペンなどのフルオロオレフィン材料は、ＨＦＣの代替品として関心を集めている
（b） 
「【０００６】 
・・・ 
　直鎖ヒドロフルオロオレフィンおよびヒドロクロロフルオロオレフィンの例としては、限定されないが、単独での、または組み合わせての、１２２５ｙｅ　ＥおよびＺ異性体（ＣＦ３−ＣＦ＝ＣＦＨ）、１２３４ｚｅ　ＥおよびＺ異性体（ＣＦ３−ＣＨ＝ＣＨＦ）、・・・が挙げられる。」 
  
（c） 
「【００３４】 
３．エアロゾル噴射剤： 
　本発明の他の実施形態は、噴霧可能な組成物において噴射剤として使用される、本明細書に記載の安定剤の組み合わせを有するヒドロフルオロオレフィンおよび／またはヒドロクロロフルオロオレフィンの使用に関する。さらに、本発明は、本明細書に記載の安定剤の組み合わせを有するヒドロフルオロオレフィンおよび／またはヒドロクロロフルオロオレフィンを含む噴霧可能な組成物に関する。」 
  
（d） 
「【００３６】 
４．消火剤： 
　更なる実施形態では、本発明の安定剤の組み合わせと共にヒドロフルオロオレフィンおよび／またはヒドロクロロフルオロオレフィンを含む薬剤を提供すること；加圧放出システムに薬剤を入れること；ある区域に薬剤を放出してその区域の火を消火または鎮火すること；を含む、トータルフラッド（ｔｏｔａｌ−ｆｌｏｏｄ）用途において消火または鎮火する方法を提供する。他の実施形態では、火災または爆発を防止するために、ある区域を不活性にする方法であって、本発明の安定剤の組み合わせと共にヒドロフルオロオレフィンおよび／またはヒドロクロロフルオロオレフィンを含む薬剤を提供すること；加圧放出システムに薬剤を入れること；
その区域に薬剤を放出して、火災または爆発が起こるのを防ぐこと
（e） 
「【００３７】 
・・・ 
。（３）爆発鎮静において、本発明の安定剤の組み合わせを有するヒドロフルオロオレフィンおよび／またはヒドロクロロフルオロオレフィンが、既に開始している爆発を鎮静するために放出される。爆発は一般に自己制限的であることから、「鎮静」という用語が通常、本出願で使用される。しかしながら、この用語の使用は、爆発が薬剤によって消されることを必ずしも意味しない。本出願において、爆発から広がる火の玉を検出するために、検出器が通常使用され、爆発を鎮静するために薬剤が迅速に放出される。爆発鎮静は、防御用途において単独ではないが、主として使用される。（４）不活性化において、本発明の安定剤の組み合わせを有する
ヒドロフルオロオレフィンおよび／またはヒドロクロロフルオロオレフィンが、爆発または火災が起こるのを防ぐために空間内に放出される
」 
  
（f） 
「【００４２】 
【表１】 
 
 」 
  
エ　甲５には、以下の記載がある。 
（a） 
「【請求項５２】 
　噴射剤組成物であって、 
（ａ）式Ｉで表わされる少なくとも１つのフルオロアルケン： 
 　　　　　　ＸＣＦｚＲ３−ｚ　（Ｉ） 
（ここでXはC2またはC3不飽和置換または非置換アルキル基であり、Rは独立してCl、F、Br、IまたはHであり、そしてZは１〜３である）を含み、 
約１０００以下の地球温暖化可能性（GWP）を有する、前記組成物。」 
  
（b） 
「【００３６】 
　
噴射剤およびエアゾール組成物
　別の面において、本発明は、本発明の組成物を含むかまたは本質的にこの組成物からなる噴射剤組成物を提供し、そのような噴射剤組成物は好ましくは霧化しうる組成物である。本発明の噴射剤組成物は好ましくは、噴射されるべき材料と、本発明に従う組成物を含む（あるいは本質的にその組成物からなる、またはその組成物からなる）噴射剤とを含む。不活性成分、溶剤、およびその他の物質も、霧化可能混合物中に存在していてもよい。好ましくは、この霧化しうる組成物はエアゾール（aerosol）である。噴射されるべき適当な材料としては、限定するものではないが、消臭剤、香料、ヘアスプレー、クレンザーなどの化粧品、および磨き剤、さらには抗喘息成分、口臭除去成分、および好ましくは吸入することが意図される他の全ての薬物または薬剤を含む他の全ての薬品などの医薬物質がある。薬物またはその他の治療剤は、組成物中に治療量で存在するのが好ましく、
組成物の残りの本質的な部分は本発明の式Ｉの化合物、好ましくはHFO-1234、さらに好ましくはHFO-1234zeを含む
【００３７】 
・・・ 
　大部分の市販用のエアゾールは液化ガスの噴射剤を用いる。最も一般的に用いられる液化ガス噴射剤は、ブタン、イソブタン、およびプロパンなどの炭化水素である。ジメチルエーテルとHFC-152a（1,1-ジフルオロエタン）も、単独で、または炭化水素の噴射剤と混合して用いられる。あいにくと、これらの液化ガス噴射剤の全てがかなり可燃性なので、それらをエアゾール配合物の中に組み入れることによって、可燃性のエアゾール製品がしばしば得られるだろう。 
　【００３８】 
　
出願人は、エアゾール製品に配合するための不燃性の液化ガス噴射剤に対する継続的な要求を認識するに至った。本発明は、本発明の組成物、特にそして好ましくはHFO-1234、さらに好ましくはHFO-1234zeを含む組成物であって、例えばスプレー式クリーナーや潤滑剤、およびそれらの類似物を含む特定の工業用エアゾール製品、および例えば薬品を肺や粘膜に供給するためのものを含む医薬用エアゾールにおいて用いるための組成物を提供する
　・・・ 
　【００３９】 
　
本発明の組成物、特にHFO-1234zeを含むかあるいは本質的にHFO-1234zeからなる組成物は、地球温暖化に実質的に寄与しない不燃性の液化ガス噴射剤およびエアゾールを提供することができる
（c） 
「【００４９】 
　
可燃性低減方法
　
特定の他の好ましい態様によれば、本発明は流体の可燃性を低減するための方法を提供し
　【００５０】 
　
本発明に従って流体の可燃性を低減するために、いかなる適当な量の本化合物または組成物も添加することができるだろう
  
（３）刊行物等に記載の発明 
ア　甲２に記載された発明（甲２発明） 
（ア）　甲２の（a）及び（b）から、甲２に記載された技術は、エアゾール剤において、引火性成分中にトリクロロトリフルオロエタンを添加して非引火性とする技術に関するものであることがわかる。 
  
（イ）　（ア）及び甲２の（c）から、甲２のエアゾール剤に関する「実施例２」には、次の発明（以下、「甲２発明」という。）が記載されているものと認められる。 
「有害生物防除成分としてのネオビナミン０．５部及びクリスロンフォルテ０．０５部、１号灯油１０４．４部、及びトリクロロトリフルオロエタン２０部からなる原液、並びに、噴射剤（LPG）７５部を含有する、エアゾール剤。」 
  
イ　甲３に記載された発明（甲３発明） 
（ア）　甲３の（a）の請求項１を引用する請求項６、（b）、及び（e）から、甲３に記載された技術は、エアゾール組成物に関するものであることがわかる。 
  
（イ）　（ア）及び甲３（g）の【表１１】から、甲３のエアゾール組成物に関する「実施例４」には、次の発明（以下、「甲３発明」という。）が記載されているものと認められる。 
「アルミニウムクロロハイドレート１０．０重量％、ミリスチン酸イソプロピル６．０重量％、シリコーン流体６．０重量％、「クアテルニウム(Quaternium)」−１８ヘクトライト０．５重量％、及びエタノール２．０重量％からなる原液、並びに、噴射剤７５．０重量％及び噴射剤２．０重量％を含有する、エアゾール組成物。」 
（４）対比・判断 
  
ア　甲２発明を主引用発明とした場合 
（ア）　本件発明１と甲２発明とを対比する。 
  
（a）　甲２発明の「１号灯油」及び「エアゾール剤」は、本件発明１の「液状油脂類よりなる引火性成分」及び「エアゾール組成物」に相当する。 
  
（b）　甲２発明において、原液は１２４．９５部（０．５部＋０．０５部＋１０４．４部＋２０部）であり、原液の合計量を１００質量％とした場合に、「１号灯油」の含有割合は、１０４．４／１２４．９５×１００＝８３．６（質量％）であるから、本件発明１の「液状油脂類よりなる引火成分」の原液中の含有割合と重複する。 
  
（c）　甲２発明の「トリクロロトリフルオロエタン」のエアゾール剤１００質量％における含有割合は、２０／（０．５＋０．０５＋１０４．４＋２０＋７５）×１００＝１０（質量％）である。 
  
（d）　以上のことから、本件発明１と甲２発明とは、 
「液状油脂類よりなる引火性成分を１５．００〜９９．５０質量％含有する原液を含有する、エアゾール組成物。」である点で一致し、次の点で相違する。 
【相違点】 
　引火性成分を有するエアゾール組成物の安全性を高めるために、エアゾール組成物に対して、本件発明１は、「トランス−１，３，３，３−テトラフルオロプロペンを含有する噴射剤」を配合し、「エアゾール組成物１００質量％における前記トランス−１，３，３，３−テトラフルオロプロペンの含有割合が６〜２０質量％である」のに対し、甲２発明は、「トリクロロトリフルオロエタンを含有する原液」を配合し、「エアゾール組成物１００質量％においてトリクロロトリフルオロエタンを１０質量％配合」している点。 
（イ）　上記相違点について検討する 
　従来、オゾン層破壊係数、地球温暖化係数、引火性等を考慮して、フロン類に代えて、不燃性のヒドロクロロフルオロオレフィンを採用することは周知である（甲４の（a）、甲５の（b）参照）。そして、甲４には、フロン類の代替物であるヒドロフルオロオレフィンの一例として、ＨＦＯ−１２３４ｚｅのＥ及びＺ異性体（すなわち、１，３，３，３−テトラフルオロプロペンのトランス体及びシス体）が挙げられ（甲４（b））、組成物の一例として、ＨＦＯ−１２３４ｚｅ（１，３，３，３−テトラフルオロプロペン）を１０．５７重量％含む組成物が例示されている（甲４（f））。また、甲５には、地球温暖化に実質的に寄与しない不燃性の液化ガス噴射剤として、ＨＦＯ−１２３４ｚｅ（１，３，３，３−テトラフルオロプロペン）が記載されている。（甲５（a）、（b））。 
　してみれば、甲２発明において、引火性成分を有するエアゾール組成物の安全性を高めるために、オゾン層破壊係数、地球温暖化係数、引火性等を考慮して、トリクロロトリフルオロエタン１０質量％に代えて、１，３，３，３−テトラフルオロプロペンのトランス体やシス体を同量程度用いることは、周知技術の転換に過ぎない。また、原液成分であるトリクロロトリフルオロエタンを、噴射剤である１，３，３，３−テトラフルオロプロペンへと置き換えることの容易想到性については、異議申立書の２２〜２４頁「フロン類に関する付言」に記載のとおり、フロン類には原液として区分けされるものもあれば噴射剤として区分けされるものもあることは周知であることを参酌するに、甲２発明において、１，３，３，３−テトラフルオロプロペンを噴射剤として用いることは、周知技術の転換に過ぎない。 
　そして、甲４及び甲５には、１，３，３，３−テトラフルオロプロペンが、火災や爆発を防ぎ得ること及び流体の可燃性を低減し得ることが記載されているのであるから（甲４の（c）〜（e）、甲５の（c））、本件特許明細書記載の効果（【００４９】【表１】に示された爆発下限濃度に至るまでの噴射量を大きくする効果など）が格別顕著なものであるとは到底いえない。 
　（ウ）　よって、本件発明１は、当業者が甲２発明及び周知技術に基づいて容易に発明できたものである。 
イ　甲３発明を主引用発明とした場合 
（ア）　本件発明１と甲３発明とを対比する。 
  
（a）　甲３発明の「ミリスチン酸イソプロピル」は、技術常識に照らせば、液状であり、１１０℃付近に引火点があることから、本件発明１の「液状油脂類よりなる引火性成分」に相当する。 
  
（b）　甲３発明において、原液は２４．５重量％（１０．０重量％＋６．０重量％＋６．０重量％＋０．５重量％＋２．０重量％）であり、原液の合計量を１００質量％とした場合に、「ミリスチン酸イソプロピル」の含有割合は、６／２４．５×１００＝２４．５（質量％）であるから、本件発明１の「液状油脂類よりなる引火性成分」の原液中の含有割合と重複する。 
  
（c）　以上のことから、本件発明１と甲３発明とは、 
「液状油脂類よりなる引火性成分を１５.００〜９９．５０質量％含有する原液と、噴射剤とよりなる、エアゾール組成物。」である点で一致し、次の点で相違する。 
  
【相違点１】 
　本件発明１は、噴射剤として「トランス−１，３，３，３−テトラフルオロプロペン」を含有するのに対し、甲３発明は噴射剤の種類が特定されていない点。 
  
【相違点２】 
　本件発明１は、エアゾール組成物１００質量％におけるトランス−１，３，３，３−テトラフルオロプロペンの含有割合が「６〜２０質量％」であるのに対し、甲３発明は当該特定のない点。 
 
（イ）　上記相違点について検討する。 
（a）　相違点１について 
　甲３には、噴射剤として使用できる化合物として１，３，３，３−テトラフルオロプロペンが記載されており（甲３（d）の【表３】の「HFC-1234ze」参照）、また、上記（４）ア（イ）で述べたとおり、不燃性の液化ガス噴射剤として、１，３，３，３−テトラフルオロプロペンのトランス体やシス体を用いること、及び、それにより火災や爆発を防ぎ得ることは周知である。 
　してみれば、甲３発明において、噴射剤として、１，３，３，３−テトラフルオロプロペンのトランス体やシス体を用いることは、当業者が容易に想到し得ることである。 
  
（b）　相違点２について 
　甲３には、噴射剤を「１５％から９５％まで」配合してもよいこと（甲３（c））、及び、実施例３として例示されているように、全組成物の合計量を１００質量％とした場合に、噴射剤を１２質量％配合する態様も記載されている（甲３（f）の【表１０】）。 
　してみれば、甲３発明において、噴射剤の配合量を、上記範囲において適宜変更することは、当業者が容易に想到し得ることである。 
  
（ウ）　よって、本件発明１は、当業者が甲３発明及び周知技術に基づいて容易に発明できたものである。 
  
（５）まとめ 
　以上検討のとおり、本件発明１は、特許法第２９条第２項の規定により特許を受けることができないものであるから、本件の請求項１に係る特許は、特許法第２９条の規定に違反してされたものであり、同法第１１３条第１項第２号に該当するため、取り消されるべきものである。 』
（２）取消理由（特許法第２９条第２項）についての判断
　この理由に対し、先ず、甲２発明を主引用発明とした場合を検討する。
ア　本件発明１と甲２発明とを対比する。
（a）　甲２発明の「１号灯油」及び「エアゾール剤」は、本件発明１の「液状油脂類よりなる引火性成分」及び「エアゾール組成物」に相当する。 
  
（b）　甲２発明において、原液は１２４．９５部（０．５部＋０．０５部＋１０４．４部＋２０部）であり、原液の合計量を１００質量％とした場合に、「１号灯油」の含有割合は、１０４．４／１２４．９５×１００＝８３．６（質量％）であるから、本件発明１の「液状油脂類よりなる引火成分」の原液中の含有割合と重複する。 
  
（c）　甲２発明の「トリクロロトリフルオロエタン」のエアゾール剤１００質量％における含有割合は、２０／（０．５＋０．０５＋１０４．４＋２０＋７５）×１００＝１０（質量％）である。 
  
（d）　以上のことから、本件発明１と甲２発明とは、 
「液状油脂類よりなる引火性成分を８３．６質量％含有する原液を含有する、エアゾール組成物。」である点で一致し、次の点で相違する。 
【相違点１】 
　引火性成分を有するエアゾール組成物の安全性を高めるために、エアゾール組成物に対して、本件発明１は、「トランス−１，３，３，３−テトラフルオロプロペンを含有する噴射剤」を配合し、「エアゾール組成物１００質量％における前記トランス−１，３，３，３−テトラフルオロプロペンの含有割合が６〜２０質量％である」のに対し、甲２発明は、「トリクロロトリフルオロエタンを含有する原液」を配合し、「エアゾール組成物１００質量％においてトリクロロトリフルオロエタンを１０質量％配合」している点。
【相違点２】
　本件発明１は、「噴射剤１００質量％における前記トランス−１，３，３，３−テトラフルオロプロペンの含有割合が４０質量％以上である」のに対し、甲２発明は当該特定のない点。
イ　上記相違点について検討する。
（ア）上記相違点１について検討する
　従来、オゾン層破壊係数、地球温暖化係数、引火性等を考慮して、１，３，３，３−テトラフルオロプロペンのトランス体及びシス体は周知であるものの（甲４の（a）及び（b）、甲５の（a）及び（b））、当該１，３，３，３−テトラフルオロプロペンは液化ガス噴射剤として使用されるものである。一方、甲２発明のトリクロロトリフルオロエタンは、原液の引火性を抑制するため、原液中に添加されるものであるから、甲２発明において、原液中に添加されるトリクロロトリフルオロエタンに代わり、噴射剤である１，３，３，３−テトラフルオロプロペンを適用することは、当業者が容易に想到し得るものではない。
　また、甲３ないし甲５を参照しても、原液として用いられるトリクロロトリフルオロエタンに代えて、噴射剤を用いることができるとする記載や示唆も見当たらない。
（イ）上記相違点２について検討する。
　仮に、甲２発明において、原液中に添加されるトリクロロトリフルオロエタンに代わり、噴射剤である１，３，３，３−テトラフルオロプロペンを適用することが可能であったとしても、得られるエアゾール組成物は、噴射剤１００質量％における１，３，３，３−テトラフルオロプロペンの含有割合は、２０／（２０＋７５）×１００＝２１．１質量％であり、本件発明１において規定する「４０質量％以上」という構成を満たさない。
　また、甲２は、原液中に所定量（５〜２０重量％）のトリクロロトリフルオロエタンを添加することにより、極めて優れた効力を維持することができ、しかも引火性が低い、有害生物を防除するためのエアゾール剤に関するものであり（甲２の第４頁左下欄「効果」）、また、「２０重量％をこえると殺虫能力が低下し・・・好ましくない。」（甲２の第２頁右上欄第９〜１２行）ことも記載されていることから、甲２発明において、トリクロロトリフルオロエタンに代わり、１，３，３，３−テトラフルオロプロペンを適用することが可能であったとしても、その含有割合を適宜増やし、本件発明１の範囲とすることができるとはいえない。
ウ　異議申立人の意見について
　異議申立人は、「甲第５号証には、１，３，３，３−テトラフルオロプロペンが、噴射剤に相当する炭化水素（たとえばプロパン）の可燃性だけでなく、原液に相当する炭化水素（たとえばヘキサンやオクタン）の可燃性に関しても、低減させ得ることが明記されている」ことを指摘し、本件特許権者による「原液の成分として使用されているものを、原液とは全く役割が異なる噴射剤の成分に置き換えることは、周知技術の転換ではない」等の主張は失当であること、及び、「１，３，３，３−テトラフルオロプロペンは、その低ＧＷＰ性および不燃性が着目されており、噴射剤中に４０質量％以上となるように含有させることが周知であった」ことを指摘し、上記訂正事項２に関する発明特定事項を具備することは、当業者であれば容易に想到し得るものであると主張する。
　しかしながら、１，３，３，３−テトラフルオロプロペンが噴射剤及び原液の可燃性を低減させることが知られていたとしても、上記（２）イ（ア）で検討したとおり、役割（可燃性の低減化）が同じだからといって、そもそも原液の成分を噴射剤の成分に置き換えることを、当業者が容易に想到するということはできない。また、仮に、置き換えが可能であったとしても、上記（２）イ（イ）で検討したとおり、異議申立人が挙げた周知技術のように、１，３，３，３−テトラフルオロプロペンを噴射剤中に４０質量％以上とする動機が、甲２に記載又は示唆されているとはいえない。
エ　小括
　よって、本件発明１は、甲２発明及び周知技術に基づいて、当業者が容易に発明をすることができたものであるとはいえず、本件特許１は、特許法第２９条第２項の規定に違反してされたものであるとすることはできない。
（３）次に、甲３発明を主引用発明とした場合を検討する。
ア　本件発明１と甲３発明とを対比する。
（a）　甲３発明の「ミリスチン酸イソプロピル」は、技術常識に照らせば、液状であり、１１０℃付近に引火点があることから、本件発明１の「液状油脂類よりなる引火性成分」に相当する。 
  
（b）　甲３発明において、原液は２４．５重量％（１０．０重量％＋６．０重量％＋６．０重量％＋０．５重量％＋２．０重量％）であり、原液の合計量を１００質量％とした場合に、「ミリスチン酸イソプロピル」の含有割合は、６／２４．５×１００＝２４．５（質量％）である。
（c）　以上のことから、本件発明１と甲３発明とは、 
「液状油脂類よりなる引火性成分を含有する原液と、噴射剤とよりなる、エアゾール組成物。」である点で一致し、次の点で相違する。 
  
【相違点１】 
　本件発明１は、噴射剤として「トランス−１，３，３，３−テトラフルオロプロペン」を含有するのに対し、甲３発明は噴射剤の種類が特定されていない点。 
  
【相違点２】 
　本件発明１は、エアゾール組成物１００質量％におけるトランス−１，３，３，３−テトラフルオロプロペンの含有割合が「６〜２０質量％」であるのに対し、甲３発明は当該特定のない点。
【相違点３】
　本件発明１は、「噴射剤１００質量％における前記トランス−１，３，３，３−テトラフルオロプロペンの含有割合が４０質量％以上」であるのに対し、甲３発明は当該特定のない点。
【相違点４】
　液状油脂類よりなる引火性成分について、本件発明１は、原液中に「液状油脂類よりなる引火性成分を５０．００〜９９．５０質量％含有する」のに対し、甲３発明は、２４．５質量％含有する点。
イ　事案に鑑み、上記相違点２及び４について検討する。
　甲３には、噴射剤の一般的な使用割合は示されているものの、当該使用割合は、トランス−１，３，３，３−テトラフルオロプロペンの使用割合を特に示したものではない。したがって、仮に、甲３発明において、噴射剤としてトランス−１，３，３，３−テトラフルオロプロペンを適用することが可能であったとしても、エアゾール組成物１００質量％におけるトランス−１，３，３，３−テトラフルオロプロペンの含有割合を６〜２０質量％とすることは、当業者が容易に想到し得るものではない。
　また、甲３には、原液中における液状油脂類よりなる引火性成分の含有割合が５０．００〜９９．５０質量％であることについては全く記載されておらず、これらの範囲を示唆する記載もない。したがって、甲３発明において、液状油脂類よりなる引火性成分であるミリスチン酸イソプロピルの配合量を増やし、原液中におけるその含有割合を５０．００〜９９．５０質量％とすることは、当業者が容易に想到し得るものではない。
ウ　小括
　よって、上記相違点１及び３を検討するまでもなく、上記相違点２及び４が、当業者が容易に想到し得るものであるとはいえないから、本件発明１は、甲３発明及び周知技術に基づいて、当業者が容易に発明をすることができたものであるとはいえず、本件特許１は、特許法第２９条第２項の規定に違反してされたものであるとすることはできない。
第５　むすび
　上記「第４」で検討したとおり、本件特許１は、特許法第２９条の２又は第２９条第２項の規定に違反してされたものであるということはできず、同法第１１３条第２号に該当するものではないから、上記取消理由によっては、本件特許１を取り消すことはできない。
　また、他に本件特許１を取り消すべき理由を発見しない。
　
　よって、結論のとおり決定する。
【異議決定日】
平成２９年５月２９日（２０１７．５．２９）
【訂正の要旨】
審決（決定）の【理由】欄参照。
（５４）【発明の名称】
エアゾール組成物
　【技術分野】
　【０００１】
　本発明は、エアゾール組成物に関する。
　【背景技術】
　【０００２】
　従来、エアゾール組成物は、利便性などの観点から種々の分野において利用されており、その目的や用途に応じた種々の成分を含有する原液と、噴射剤とにより構成され、霧状または泡沫状などの形態の吐出物を形成するものが知られている。
　エアゾール組成物の或る種のものは、噴射剤として、極めて高い可燃性を有する液化石油ガス（ＬＰＧ）などが用いられており、また原液には、エタノール等のアルコール類などの引火性を有する引火性成分が含有されており、例えば帯電防止剤用のエアゾール組成物においては、静電気による着火が生じるおそれがあるなど、その使用環境によっては危険を伴う場合がある。
　【０００３】
　一方、エアゾール組成物においては、噴射剤として、例えばトランス−１，３，３，３−テトラフルオロプロペンなどの着火危険性の小さいヒドロフルオロカーボンを用いることが提案されているが（例えば、特許文献１および特許文献２参照。）、原液の構成成分との関係からのエアゾール組成物の安全性については十分な検討がなされていない。
　【先行技術文献】
　【特許文献】
　【０００４】
　【特許文献１】　特表２０１０−５２５１１４号公報
　【特許文献２】　特開２００９−２２７６６２号公報
　【発明の概要】
　【発明が解決しようとする課題】
　【０００５】
　本発明は以上のような事情に基づいてなされたものであって、その目的は、原液が引火性成分を含有するものであっても、使用環境によらずに高い安全性をもって適用することのできるエアゾール組成物を提供することにある。
　【課題を解決するための手段】
　【０００６】
　本発明のエアゾール組成物は、液状油脂類よりなる引火性成分を
５０．００
　エアゾール組成物１００質量％における前記トランス−１，３，３，３−テトラフルオロプロペンの含有割合が６〜２０質量％
であり、
前記噴射剤１００質量％における前記トランス−１，３，３，３−テトラフルオロプロペンの含有割合が４０質量％以上
　【発明の効果】
　【０００９】
　本発明のエアゾール組成物によれば、噴射剤としてトランス−１，３，３，３−テトラフルオロプロペンが特定の含有割合で用いられており、このトランス−１，３，３，３−テトラフルオロプロペンが着火危険性が極めて小さいものであることから、原液が引火性成分を含有するものであっても、使用環境によらずに高い安全性をもって適用することができる。
　【００１０】
　また、本発明のエアゾール組成物においては、引火性成分の種類および含有割合、あるいは使用環境などに応じ、トランス−１，３，３，３−テトラフルオロプロペンの噴射剤における含有割合および噴射剤のエアゾール組成物における含有割合を適宜に調整することにより、適用に際してより一層高い安全性を得ることができる。
　【００１１】
　更に、本発明のエアゾール組成物においては、噴射剤としてジメチルエーテル、液化石油ガスなどの可燃性ガスを併用する場合であっても、可燃性ガスを単独で用いる場合に比して高い完全性を得ることができる。
　【発明を実施するための形態】
　【００１２】
　本発明のエアゾール組成物は、原液と、トランス−１，３，３，３−テトラフルオロプロペンをエアゾール組成物全体１００質量％において５〜９５質量％の割合で含有する噴射剤とにより構成されており、噴射バルブを備えた耐圧容器よりなるエアゾール容器に充填されることによってエアゾール製品とされるものである。
　【００１３】
　本発明のエアゾール組成物を構成する原液は、引火性成分を必須成分として含有するものである。
　ここに、本明細書中において、「引火性成分」とは、第４類引火性液体である。
　【００１４】
　また、本発明のエアゾール組成物において、引火性成分は、当該エアゾール組成物においていかなる作用を有するものであってもよく、例えば使用目的あるいは使用用途との関係における有効成分、主たる有効成分に対する助剤、副次的な成分、または溶剤などとして作用するものであってもよい。
　【００１５】
　引火性成分の具体例としては、例えば液状油脂類および１価の低級アルコール類などが挙げられる。
　本発明のエアゾール組成物を構成する原液において、引火性成分は、１種類が単独で用いられてなる構成のものであってもよく、また２種類以上が組み合わされて用いられてなる構成のものであってもよい。
　【００１６】
　引火性成分を構成する液状油脂類としては、例えば鉱物油（具体的には、例えばケロシン、軽油、流動パラフィン、流動イソパラフィン、琥珀油、クレオソート油等）、植物油（具体的には、例えばひまし油、亜麻仁油、サラダ油、コーン油、大豆油、ごま油、菜種油、ベニバナ油、ひまわり油、米油、パーム油、ヤシ油、葡萄油、小麦胚芽油、オリーブオイル、ピーナッツオイル、アーモンドオイル、グレープシードオイル、ホホバオイル、ローズヒップオイル、白樺油、アボカドオイル、ヘーゼルナッツオイル、オレンジ油等）、動物油（具体的には、例えば魚油、ラノリンオイル、スクワラン、卵黄油、肝油、馬油、ミンクオイル等）、合成油（具体的には、例えばエステル油等）などが挙げられ、好適な具体例としては、ケロシン、流動パラフィン、流動イソパラフィンなどが挙げられる。
　また、引火性成分を構成する１価の低級アルコール類としては、例えばメタノール、エタノール、プロパノール、イソプロパノール、ブタノール、ペンタノールなどが挙げられる。
　【００１７】
　また、引火性成分としては、液状油脂類および１価の低級アルコール類の他、例えばアセトン、メチルエチルケトン、シクロヘキサン、ブチルセロソルブ、トルエン、キシレン、フェノキシエタノール、サリチル酸メチルなどを用いることができる。
　【００１８】
　原液における引火性成分の含有割合は、引火性成分の種類、引火性成分のエアゾール組成物中における使用目的などによっても異なるが、通常、１〜１００質量％とされる。
　【００１９】
　特に、引火性成分が１価の低級アルコール類である場合においては、１価の低級アルコール類の含有割合は原液１００質量％において３０〜１００質量％であることが好ましく、更に好ましくは５０〜９０質量％である。
　【００２０】
　１価の低級アルコール類よりなる引火性成分の含有割合が過大である場合には、噴射剤としてトランス−１，３，３，３−テトラフルオロプロペンを用いることによっても着火危険性を十分に低減させることができないおそれがある。一方、１価の低級アルコール類よりなる引火性成分の含有割合が過小である場合には、１価の低級アルコール類の作用による十分な効果、例えば有効成分としての効果、あるいは他の構成成分の溶解性向上効果が得られなくなるおそれがある。
　また、特に１価の低級アルコール類よりなる引火性成分の含有割合が５０質量％以上であって９０質量％以下である場合には、噴射剤としてトランス−１，３，３，３−テトラフルオロプロペンを用いることによる安全性向上効果が大きくなる。
　【００２１】
　原液には、必須成分としての引火性成分の他、エアゾール組成物の使用目的や用途に応じて種々の任意成分が含有されていてもよい。その具体例としては、例えば殺虫剤、消臭剤、帯電防止剤、撥水剤、紫外線吸収剤、整髪剤（セット剤）、エモリエント剤などのエアゾール組成物の使用目的あるいは使用用途との関係における有効成分、水、界面活性剤、粉末（具体的には、例えばタルクパウダー、シリカパウダー、ナイロンパウダー、コーンスターチ、ゼオライトパウダー等）、その他が挙げられる。
　【００２２】
　以上のような成分が含有されてなる原液の含有割合は、後述する噴射剤との関係から、エアゾール組成物全体１００質量％において、通常、１０〜９５質量％とされる。
　【００２３】
　本発明のエアゾール組成物を構成する噴射剤としては、必須成分として、トランス−１，３，３，３−テトラフルオロプロペンが用いられており、このトランス−１，３，３，３−テトラフルオロプロペンは、その含有割合が、エアゾール組成物全体１００質量％において５〜９５質量％とされる。
　【００２４】
　本発明のエアゾール組成物においては、噴射剤としてトランス−１，３，３，３−テトラフルオロプロペンを上記の特定の含有割合で用いることにより、原液が引火性成分を含有するものであるにも拘わらず、当該トランス−１，３，３，３−テトラフルオロプロペン自体の有する特性によって着火危険性を低減させることができる。
　【００２５】
　噴射剤としては、適用する際の安全性の観点から、トランス−１，３，３，３−テトラフルオロプロペンを単独で用いることが好ましいが、トランス−１，３，３，３−テトラフルオロプロペンと共に、例えば、ジメチルエーテル、液化石油ガス、および、窒素ガス、二酸化炭素ガス、亜酸化窒素ガス、圧縮空気等の圧縮ガスなどのその他のガスを組み合わせて用いることもできる。
　トランス−１，３，３，３−テトラフルオロプロペンと組み合わせて用いるその他のガスとしては、得られるエアゾール組成物における機能性の観点から、ジメチルエーテルおよび圧縮ガスが好ましい。
　【００２６】
　噴射剤としてトランス−１，３，３，３−テトラフルオロプロペンと共にその他のガスを選択的に組み合わせて用いることにより、適用する際の噴射形態（吐出物の形態）を、霧状または泡沫状などの適宜なものとすることができ、また、噴射形態以外にも、例えば噴射力（噴射圧）などの噴射特性を制御すること、および噴射剤の原液に対する溶解性を制御することなどができる。
　具体的には、本発明のエアゾール組成物において、噴射形態を泡沫状とする場合には、その他のガスとして、主として液化石油ガスが用いられる。
　また、噴射力（噴射圧）を制御する場合には、その他のガスとして、主として液化石油ガスおよび圧縮ガスが用いられる。
　また、噴射剤の原液に対する溶解性を制御する場合には、その他のガスとして主としてジメチルエーテルが用いられる。
　【００２７】
　噴射剤としてトランス−１，３，３，３−テトラフルオロプロペンと共にその他のガスを組み合わせて用いる場合には、噴射剤において、トランス−１，３，３，３−テトラフルオロプロペンの含有割合が１０〜９９．９質量％であることが好ましい。
　具体的に、その他のガスとして液化石油ガスおよび／またはジメチルエーテルを用いる場合、すなわち噴射剤としてトランス−１，３，３，３−テトラフルオロプロペンと液化石油ガスおよび／またはジメチルエーテルとを組み合わせて用いる場合には、噴射剤において、トランス−１，３，３，３−テトラフルオロプロペンの含有割合が１０〜７０質量％であることが好ましい。
　また、その他のガスとして圧縮ガスを用いる場合、すなわち噴射剤としてトランス−１，３，３，３−テトラフルオロプロペンと圧縮ガスとを組み合わせて用いる場合には、噴射剤において、トランス−１，３，３，３−テトラフルオロプロペンの含有割合が９５．０〜９９．９質量％であることが好ましい。
　【００２８】
　噴射剤におけるトランス−１，３，３，３−テトラフルオロプロペンの含有割合が過小、すなわちその他のガスの含有割合が過大である場合には、エアゾール組成物全体におけるトランス−１，３，３，３−テトラフルオロプロペンの含有割合を所期の割合とすることができなくなるおそれがある。一方、トランス−１，３，３，３−テトラフルオロプロペンの含有割合が過大である場合、すなわちその他のガスの含有割合が過小である場合には、その他のガスの作用による十分な効果が得られなくなるおそれがある。
　【００２９】
　噴射剤の含有割合は、当該噴射剤の組成、原液における引火性成分の種類および必要とされる噴射特性などによっても異なるが、エアゾール組成物全体１００質量％において、通常、５〜９５質量％とされる。
　【００３０】
　具体的には、原液が液状油脂類よりなる引火性成分を含有し、噴射剤がトランス−１，３，３，３−テトラフルオロプロペンよりなる場合においては、当該噴射剤の含有割合は、エアゾール組成物全体１００質量％において、５〜４０質量％であることが好ましい。
　また、原液が液状油脂類よりなる引火性成分を含有し、噴射剤がトランス−１，３，３，３−テトラフルオロプロペン１０〜７０質量％とジメチルエーテル３０〜９０質量％とよりなる場合においては、当該噴射剤の含有割合は、エアゾール組成物全体１００質量％において、３０〜９５質量％であることが好ましい。
　【００３１】
　また、原液が１価の低級アルコール類よりなる引火性成分３０〜１００質量％を含有し、噴射剤がトランス−１，３，３，３−テトラフルオロプロペンよりなる場合においては、当該噴射剤の含有割合は、エアゾール組成物全体１００質量％において、５〜７０質量％であることが好ましい。
　原液が１価の低級アルコール類よりなる引火性成分３０〜１００質量％を含有し、噴射剤の含有割合が５〜７０質量％である場合には、噴射剤としてトランス−１，３，３，３−テトラフルオロプロペンを用いることによる安全性向上効果を十分に得ることができる。
　【００３２】
　上記のような構成の本発明のエアゾール組成物によれば、噴射剤としてトランス−１，３，３，３−テトラフルオロプロペンが特定の含有割合で用いられており、このトランス−１，３，３，３−テトラフルオロプロペンが着火危険性が極めて小さいものであることから、原液が引火性成分を含有するものであっても、使用環境によらずに高い安全性をもって適用することができる。また、引火性成分がエアゾール組成物全体において大きな割合で含有されている場合、具体的には、引火性成分としての１価の低級アルコールのエアゾール組成物全体における含有割合が２５質量％を超える場合、あるいは引火性成分としての液状油脂類のエアゾール組成物全体における含有割合が１０質量％を超える場合であっても、適用する際の安全性を得ることができる。
　また、本発明のエアゾール組成物においては、後述の実験例からも明らかなように、引火性成分として液状油脂類を含有する場合においては、噴射剤としてトランス−１，３，３，３−テトラフルオロプロペンを用いることによる安全性向上効果が大きくなることから、極めて高い安全性を得ることができる。
　【００３３】
　また、本発明のエアゾール組成物においては、引火性成分の種類および含有割合、あるいは使用環境などに応じ、トランス−１，３，３，３−テトラフルオロプロペンの噴射剤における含有割合および噴射剤のエアゾール組成物における含有割合を適宜に調整することにより、適用に際してより一層高い安全性を得ることができる。
　更に、本発明のエアゾール組成物においては、噴射剤としてジメチルエーテル、液化石油ガスなどの可燃性ガスを併用する場合であっても、可燃性ガスを単独で用いる場合に比して高い完全性を得ることができる。
　【００３４】
　本発明のエアゾール組成物は、例えば生活害虫駆除剤用、ハエ，蚊，ダニおよびノミ用殺虫剤用、消臭剤用、帯電防止剤用などして好適に用いることができ、その他にも、例えばヘアースプレー用、ボディフレグランス用、日焼け止め剤用、筋肉消炎剤用、ヘアスタイリング剤用、ヘアトリートメント剤用、クレンジング剤用などとしても用いることもできる。
　【００３５】
　以下、本発明の実験例について説明する。
　【００３６】
＜実験例１＞
　先ず、下記の（処方１）〜（処方１０）に係る原液処方に従って原液を調製した。
　次いで、噴射剤として、トランス−１，３，３，３−テトラフルオロプロペン（ハネウェルジャパン（株）製）と共に、ジメチルエーテル（住友精化社製）および窒素ガス（東京高圧山崎（株）製）を用意し、（処方１）〜（処方１０）に係る原液処方によって得られた原液と、表１に示す組成の噴射剤とを、当該（処方１）〜（処方１０）に係る原液と噴射剤との充填割合に従って噴射バルブ装置を備えた耐圧容器よりなるエアゾール容器内に充填することにより、本発明に係るエアゾール製品を作製した。
　得られた本発明に係るエアゾール製品のうちの（処方１）〜（処方６）、（処方８）および（処方１０）に係る原液処方によって得られた原液を含有する本発明に係るエアゾール製品は、噴射剤としてトランス−１，３，３，３−テトラフルオロプロペン（ＨＦＯ−１２３４ｚｅ）のみを用いたものであり、（処方７）によって得られた原液を含有する本発明に係るエアゾール製品は、噴射剤としてトランス−１，３，３，３−テトラフルオロプロペン（ＨＦＯ−１２３４ｚｅ）９８質量％と窒素ガス２質量％とを用いたものであり、（処方９）によって得られた原液を含有する本発明に係るエアゾール製品は、噴射剤としてトランス−１，３，３，３−テトラフルオロプロペン（ＨＦＯ−１２３４ｚｅ）４０質量％とジメチルエーテル（ＤＭＥ）６０質量％とを用いたものである。
　一方、比較用のエアゾール組成物の噴射剤として、液化石油ガス、窒素ガス（東京高圧山崎（株）製）およびジメチルエーテル（住友精化社製）を用意し、（処方１）〜（処方１０）に係る原液処方によって得られた原液と、表１に示す組成の噴射剤とを、当該（処方１）〜（処方１０）に係る原液と噴射剤との充填割合に従って噴射バルブ装置を備えた耐圧容器よりなるエアゾール容器内に充填することにより、比較用エアゾール製品を作製した。
　得られた比較用エアゾール製品のうちの（処方１）〜（処方６）、（処方８）および（処方９）に係る原液処方によって得られた原液を含有する比較用エアゾール製品は、噴射剤として液化石油ガス（ＬＰＧ）のみを用いたものであり、（処方７）によって得られた原液を含有する比較用エアゾール製品は、噴射剤として液化石油ガス（ＬＰＧ）９８質量％と窒素ガス２質量％とを用いたものであり、（処方１０）によって得られた原液を含有する比較用エアゾール製品は、噴射剤として液化石油ガス（ＬＰＧ）７０質量％とジメチルエーテル（ＤＭＥ）３０質量％とを用いたものである。
　【００３７】
　ここに、（処方１）〜（処方１０）に係る原液は、各々、（処方１）〜（処方４）、（処方８）および（処方１０）に係る原液が引火性成分として１価の低級アルコールを含有するものであり、（処方５）〜（処方７）および（処方９）に係る原液が引火性成分として液状油脂類を含有するものである。また、これらのうちの（処方４）に係る原液には引火性成分として１価の低級アルコールとしてのエタノールと共にサリチル酸メチルが含有されており、（処方５）に係る原液には引火性成分として液状油脂類としての流動イソパラフィンと共にフェノキシエタノールが含有されており、（処方６）に係る原液には引火性成分として液状油脂類としての流動パラフィンと共にフェノキシエタノールが含有されている。
　【００３８】
（爆発性試験）
　試料としてのエアゾール製品および比較用エアゾール製品を２５℃に設定した恒温槽に３０分間浸漬し、その質量を測定した後、当該試料を爆発試験器に装着し、点火用プラグのスイッチを入れた状態において、１秒間噴射、２秒間噴射停止を繰り返して行い、爆発が生じた後の試料の質量を測定し、爆発試験器に装着する前の質量と、爆発が生じた後の質量とに基づいて爆発下限濃度〔ｇ／ｌ〕を測定する。
　【００３９】
（処方１）ヘアスプレー用エアゾール組成物
（原液処方）
・エタノール（「９９％合成無変性エタノール」（日本アルコール販売（株）製））：７９．９５質量％
・（アクリル酸アルキル／ジアセトンアクリルアミド）コポリマーＡＭＰ（「プラスサイズＬ−９９０９Ｂ」（互応化学工業（株）製））：２０．００質量％
・フェニルトリメチコン（「ＫＦ−５６」（信越化学工業（株））：０．０５質量％
（原液と噴射剤との充填割合）
・質量比（原液／噴射剤）：５０／５０
　【００４０】
（処方２）ボディーフレグランススプレー用組成物
（原液処方）
・エタノール（「９９％合成無変性エタノール」（日本アルコール販売（株）製））９５．００質量％
・ミリスチン酸イソプロピル（日光ケミカルズ（株）製）２．００質量％
・香料（小川香料（株）製）３．００質量％
（原液と噴射剤との充填割合）
・質量比（原液／噴射剤）：３０／７０
　【００４１】
（処方３）日焼け止めスプレー用組成物
・エタノール（「９９％合成無変性エタノール」（日本アルコール販売（株）製））５９．００質量％
・メトキシケイヒ酸エチルヘキシル（「Ｕｖｉｎｕｌ　ＭＣ８０」（ＢＡＳＦジャパン（株）製））２０．００質量％
・シクロペンタシロキサン（「ＳＨ−２４５」（東レ・ダウコーニング（株）製）２０．００質量％
・香料（小川香料（株）製）１．００質量％
（原液と噴射剤との充填割合）
・質量比（原液／噴射剤）：４０／６０
　【００４２】
（処方４）筋肉消炎剤用エアゾール組成物
（原液処方）
・エタノール（「９９％合成無変性エタノール」（日本アルコール販売（株）製））９５．５０質量％
・Ｌ−メントール（高砂香料（株）製）２．００質量％
・サリチル酸メチル（エーピーアイコーポレーション（株）製）２．００質量％
・酢酸トコフェロール（「ビタミンＥアセテート」（ＢＡＳＦジャパン（株）製））０．５０質量％
（原液と噴射剤との充填割合）
・質量比（原液／噴射剤）：４０／６０
　【００４３】
（処方５）ヘアートリートメントフォーム用エアゾール組成物
（原液処方）
・流動イソパラフィン（「パールリーム４」（日油（株）製）１５．０質量％
・ジメチコン（「ＳＨ２００　２０ｃｓ」（東レ・ダウコーニング（株）製）５．００質量％
・トリイソステアリン酸ＰＥＧ−２０グリセリル（「ＴＧＩ−２０」日光ケミカルズ（株）製）３．００質量％
・ポリソルベート８０（「ＴＯ−１０Ｖ」（日光ケミカルズ（株））１．００質量％
・フェノキシエタノール（防腐剤）（四日市合成（株）製）０．５質量％
・精製水（東洋エアゾール工業（株））７５．５０質量％
（原液と噴射剤との充填割合）
・質量比（原液／噴射剤）：９４／６
　【００４４】
（処方６）クレンジングフォーム用エアゾール組成物
（原液処方）
・流動パラフィン（「ＣＡＲＮＡＴＩＯＮ」（島貿易（株）製）５０．００質量％
・トリイソステアリン酸ＰＥＧ−２０グリセリル（「ＴＧＩ−２０」日光ケミカルズ（株）製）４．００質量％
・ポリソルベート８０（「ＴＯ−１０Ｖ」（日光ケミカルズ（株））２．００質量％
・フェノキシエタノール（防腐剤）（四日市合成（株）製）０．５質量％
・精製水４３．５０質量％
（原液と噴射剤との充填割合）
・質量比（原液／噴射剤）：９４／６
　【００４５】
（処方７）生活害虫駆除用エアゾール組成物
（原液処方）
・ケロシン９９．００質量％
・生活害虫駆除剤１．００質量％
（原液と噴射剤との充填割合）
・質量比（原液／噴射剤）：８０／２０
　【００４６】
（処方８）消臭剤用エアゾール組成物
（原液処方）
・エタノール（「９９％合成無変性エタノール」（日本アルコール販売（株）製））９９．５０質量％
・消臭剤０．５０質量％
（原液と噴射剤との充填割合）
・質量比（原液／噴射剤）：３０／７０
　【００４７】
（処方９）ハエ，蚊，ダニおよびノミ用殺虫剤用エアゾール組成物
（原液処方）
・ケロシン９９．５０質量％
・ハエ，蚊，ダニおよびノミ用殺虫剤０．５０質量％
（原液と噴射剤との充填割合）
・質量比（原液／噴射剤）：５０／５０
　【００４８】
（処方１０）帯電防止剤用エアゾール組成物
（原液処方）
・エタノール（「９９％合成無変性エタノール」（日本アルコール販売（株）製））８４．００質量％
・カチオン性界面活性剤（帯電防止剤）（日光ケミカルズ（株）製）１．００質量％
・精製水１５．００質量％
（原液と噴射剤との充填割合）
・質量比（原液／噴射剤）：７０／３０
　【００４９】
　【表１】
　【００５０】
　表１において、「エアゾール製品中のＨＦＯ−１２３４ｚｅ含有割合（質量％）」の欄は、噴射剤としてトランス−１，３，３，３−テトラフルオロプロペン（ＨＦＯ−１２３４ｚｅ）を用いた本発明に係るエアゾール製品における、トランス−１，３，３，３−テトラフルオロプロペンのエアゾール組成物全体１００質量％における含有割合を示す。また、「爆発下限濃度〔ｇ／ｌ〕」に係る「比較用エアゾール製品」の欄は、噴射剤として液化石油ガス（ＬＰＧ）、あるいは液化石油ガス（ＬＰＧ）と窒素ガスまたはジメチルエーテル（ＤＭＥ）とを用いた比較用エアゾール製品における爆発下限濃度を示し、当該「爆発下限濃度〔ｇ／ｌ〕」に係る「エアゾール製品」の欄は、噴射剤としてトランス−１，３，３，３−テトラフルオロプロペン（ＨＦＯ−１２３４ｚｅ）を用いた本発明に係るエアゾール製品における爆発下限濃度を示す。更に、「爆発下限濃度比」の欄には、噴射剤として液化石油ガス（ＬＰＧ）、あるいは液化石油ガス（ＬＰＧ）と窒素ガスまたはジメチルエーテル（ＤＭＥ）とを用いた場合の爆発下限濃度に対する、噴射剤としてトランス−１，３，３，３−テトラフルオロプロペン（ＨＦＯ−１２３４ｚｅ）を用いた場合の爆発下限濃度の比、すなわち爆発下限濃度比（本発明に係るエアゾール製品の爆発下限濃度／比較用エアゾール製品の爆発下限濃度）を示す。なお、噴射剤としてトランス−１，３，３，３−テトラフルオロプロペン（ＨＦＯ−１２３４ｚｅ）を用いた本発明に係るエアゾール製品において、（処方７）では窒素ガスを併用し、また（処方９）ではジメチルエーテル（ＤＭＥ）を併用した。
　また、同表において、爆発性試験において爆発が生じなかった場合を「−」の符号を付した。すなわち、（処方５）、（処方６）および（処方７）においては、噴射剤としてトランス−１，３，３，３−テトラフルオロプロペン（ＨＦＯ−１２３４ｚｅ）を用いた場合、すなわち本発明に係るエアゾール製品には爆発が生じなかった。
　【００５１】
　表１の結果から、原液に引火性成分が含有されている場合においては、噴射剤としてトランス−１，３，３，３−テトラフルオロプロペンを特定の含有割合で用いることにより、引火性成分がエアゾール組成物全体において大きな割合で含有されている場合であっても、爆発が生じなくなる、あるいは爆発下限濃度が大きくなり、適用する際の安全性が大きくなることが確認された。具体的に、本発明に係るエアゾール製品における引火性成分のエアゾール組成物全体に対する割合は、各々、処方１に係る引火性成分としてのエタノールの含有割合は３９．９７５質量％、処方２に係る引火性成分としてのエタノールの含有割合は２８．５質量％、処方３に係る引火性成分としてのエタノールの含有割合は２３．６質量％、処方４に係る引火性成分としてのエタノールの含有割合は３８質量％（引火性成分のエアゾール組成物全体における含有割合は３８．８質量％）、処方５に係る引火性成分としての流動イソパラフィンの含有割合は１４．１質量％（引火性成分のエアゾール組成物全体における含有割合は１４．５７質量％）、処方６に係る引火性成分としての流動パラフィンの含有割合は４７質量％、処方７に係る引火性成分としてのケロシンの含有割合は７９．２質量％、処方８に係る引火性成分としてのエタノールの含有割合は２９．８５質量％、処方９に係る引火性成分としてのケロシンの含有割合は４９．７５質量％、処方１０に係る引火性成分としてのエタノールの含有割合は５８．８質量％である。
　ここに、爆発下限濃度比（本発明に係るエアゾール製品の爆発下限濃度／比較用エアゾール製品の爆発下限濃度）によっては、その値が大きくなるに従って適用する際の安全性が大きくなることが示される。具体的には、例えば処方１においては、本発明に係るエアゾール製品は、爆発下限濃度に達するまでに要する噴射量が比較用エアゾール製品の噴射量の３．２倍に相当するものであり、すなわち、本発明に係るエアゾール製品は、比較用エアゾール製品に比して爆発限界濃度に至るまでの噴射量が大きく、よって安全性を有するものであることが理解される。
　【００５２】
　また、特に引火性成分として液状油脂類を含有する場合においては、噴射剤としてトランス−１，３，３，３−テトラフルオロプロペンを特定の含有割合で用いることによって極めて大きな安全性が得られることが確認された。
　更に、噴射剤としてトランス−１，３，３，３−テトラフルオロプロペンと共に窒素ガスあるいはジメチルエーテル（ＤＭＥ）を用いた場合であっても、噴射剤としてトランス−１，３，３，３−テトラフルオロプロペンを用いることによる安全性向上効果が得られることが確認された。
（５７）【特許請求の範囲】
　【請求項１】
　液状油脂類よりなる引火性成分を
５０．００
　エアゾール組成物１００質量％における前記トランス−１，３，３，３−テトラフルオロプロペンの含有割合が６〜２０質量％
であり、
　
前記噴射剤１００質量％における前記トランス−１，３，３，３−テトラフルオロプロペンの含有割合が４０質量％以上